(57)【要約】【課題】本発明は、複数のエリアの焦点検出を行う焦点検出装置に関し、メインユニットに配置される焦点検出ユニットが相互に干渉することを確実に防止することを目的とする。【解決手段】第１の検出エリアの両側に第２および第３の検出エリアを有する視野マスクおよびコンデンサレンズが配置されるメインユニットと、メインユニットの第１ないし第３の検出エリアの中心を通り光軸方向に延在する仮想平面の一側に、かつ、第１の検出エリアに対応する位置に位置される第１の焦点検出部と、メインユニットの仮想平面の他側に、かつ、第２および第３の検出エリアに対応する位置に第１の焦点検出部と異なる方向に向けて配置される第２および第３の焦点検出ユニットとを有することを特徴とする。【選択図】      図１
2004170456.tif 000002
【特許請求の範囲】
【請求項１】
第１の検出エリアの両側に第２および第３の検出エリアを有する視野マスクおよびコンデンサレンズが配置されるメインユニットと、
前記メインユニットの前記第１ないし第３の検出エリアの中心を通り光軸方向に延在する仮想平面の一側に、かつ、前記第１の検出エリアに対応する位置に位置され絞りマスク，セパレータレンズおよびセンサを備えた第１の焦点検出部と、
前記メインユニットに配置され前記コンデンサレンズからの光を前記第１の焦点検出部に導く第１の光路変更手段と、
前記メインユニットの前記仮想平面の他側に、かつ、前記第２および第３の検出エリアに対応する位置に前記第１の焦点検出部と異なる方向に向けて配置され絞りマスク，セパレータレンズおよびセンサを備えた第２および第３の焦点検出ユニットと、
前記メインユニットに配置され前記コンデンサレンズからの光を前記第２および第３の焦点検出ユニットに導く第２および第３の光路変更手段と、
を有することを特徴とする焦点検出装置。
【請求項２】
請求項１記載の焦点検出装置において、
前記第１の光路変更手段または前記第２および第３の光路変更手段は、前記コンデンサレンズからの光を複数回反射して前記第１の焦点検出部または前記第２および第３の焦点検出ユニットに導くことを特徴とする焦点検出装置。
【請求項３】
請求項１または請求項２記載の焦点検出装置において、
前記第２および第３の焦点検出ユニットは、前記メインユニットに接着される直方体状のサイドホルダを有し、前記サイドホルダの側面には、前記メインユニットと前記第２および第３の焦点検出ユニットとの位置調整用治具のピン部材が嵌合される穴部が形成されていることを特徴とする焦点検出装置。
【請求項４】
請求項３記載の焦点検出装置において、
前記メインユニットの側面には、前記第２または第３の焦点検出ユニット側に突出する突出部が形成され、前記第２および第３の焦点検出ユニットの前記サイドホルダに形成される前記穴部は、前記突出部と反対側の側面に形成されていることを特徴とする焦点検出装置。
【発明の詳細な説明】
【０００１】
【発明の属する技術分野】
本発明は、カメラ等に配置される焦点検出装置に係わり、特に、複数のエリアの焦点検出を行う焦点検出装置に関する。
【０００２】
【従来の技術】
従来、カメラ等に配置され、複数のエリアの焦点検出を行う焦点検出装置として、例えば、特開平６−２３５８５６号公報，特開平５−２６４８９４号公報等に開示されるものが知られている。
特開平６−２３５８５６号公報に開示される焦点検出装置では、図８に示すように、メインユニット１の一側には、視野マスク２およびコンデンサレンズ３が配置されている。
【０００３】
視野マスク２には、第１の検出エリアＥ１の両側に第２および第３の検出エリアＥ２，Ｅ３が形成され、それぞれの検出エリアＥ１，Ｅ２，Ｅ３に開口部２ａ，２ｂ，２ｃが形成されている。
コンデンサレンズ３には、第１の検出エリアＥ１の両側に第２および第３の検出エリアＥ２，Ｅ３が形成され、それぞれの検出エリアＥ１，Ｅ２，Ｅ３にレンズ部３ａ，３ｂ，３ｃが形成されている。
【０００４】
メインユニット１には、コンデンサレンズ３からの光を側方に反射するミラー４が配置されている。
そして、メインユニット１の第１の検出エリアＥ１に対応する位置には、第１の焦点検出ユニット５が配置されている。
また、メインユニット１の第２および第３の検出エリアＥ２，Ｅ３に対応する位置には、第１の焦点検出ユニット５と同じ方向に向けて第２および第３の焦点検出ユニット６，７が配置されている。
【０００５】
そして、第１ないし第３の焦点検出ユニット５，６，７は、それぞれ、絞りマスク８，セパレータレンズ９およびセンサ１０を備えている。
このような焦点検出装置では、ミラー４によりコンデンサレンズ３からの光を反射するようにしたので、光路長が長くなり、より高い精度で、より広い範囲の焦点検出を行うことが可能になる。
【０００６】
【特許文献１】
特開平６−２３５８５６号公報
【特許文献２】
特開平５−２６４８９４号公報
【０００７】
【発明が解決しようとする課題】
しかしながら、このような従来の焦点検出装置では、第１ないし第３の焦点検出ユニット５，６，７が、メインユニット１から同一の方向に向けて配置されているため、焦点検出装置の小型化を図ると、隣接する焦点検出ユニット５，６，７が相互に干渉するという問題があった。
【０００８】
本発明は、かかる従来の問題を解決したもので、メインユニットに配置される焦点検出ユニットが相互に干渉することを確実に防止することができる焦点検出装置を提供することを目的とする。
【０００９】
【課題を解決するための手段】
請求項１の焦点検出装置は、第１の検出エリアの両側に第２および第３の検出エリアを有する視野マスクおよびコンデンサレンズが配置されるメインユニットと、前記メインユニットの前記第１ないし第３の検出エリアの中心を通り光軸方向に延在する仮想平面の一側に、かつ、前記第１の検出エリアに対応する位置に位置され絞りマスク，セパレータレンズおよびセンサを備えた第１の焦点検出部と、前記メインユニットに配置され前記コンデンサレンズからの光を前記第１の焦点検出部に導く第１の光路変更手段と、前記メインユニットの前記仮想平面の他側に、かつ、前記第２および第３の検出エリアに対応する位置に前記第１の焦点検出部と異なる方向に向けて配置され絞りマスク，セパレータレンズおよびセンサを備えた第２および第３の焦点検出ユニットと、前記メインユニットに配置され前記コンデンサレンズからの光を前記第２および第３の焦点検出ユニットに導く第２および第３の光路変更手段とを有することを特徴とする。
【００１０】
請求項２の焦点検出装置は、請求項１記載の焦点検出装置において、前記第１の光路変更手段または前記第２および第３の光路変更手段は、前記コンデンサレンズからの光を複数回反射して前記第１の焦点検出部または前記第２および第３の焦点検出ユニットに導くことを特徴とする。
請求項３の焦点検出装置は、請求項１または請求項２記載の焦点検出装置において、前記第２および第３の焦点検出ユニットは、前記メインユニットに接着される直方体状のサイドホルダを有し、前記サイドホルダの側面には、前記メインユニットと前記第２および第３の焦点検出ユニットとの位置調整用治具のピン部材が嵌合される穴部が形成されていることを特徴とする。
【００１１】
請求項４の焦点検出装置は、請求項３記載の焦点検出装置において、前記メインユニットの側面には、前記第２または第３の焦点検出ユニット側に突出する突出部が形成され、前記第２および第３の焦点検出ユニットの前記サイドホルダに形成される前記穴部は、前記突出部と反対側の側面に形成されていることを特徴とする。
【００１２】
（作用）
請求項１の焦点検出装置では、第１の検出エリアの両側に第２および第３の検出エリアを有する視野マスクおよびコンデンサレンズがメインユニットに配置され、メインユニットの第１の検出エリアに対応する位置に、絞りマスク，セパレータレンズおよびセンサを備えた第１の焦点検出部が配置される。
【００１３】
そして、メインユニットの第２および第３の検出エリアに対応する位置に第１の焦点検出部と異なる方向に向けて、絞りマスク，セパレータレンズおよびセンサを備えた第２および第３の焦点検出ユニットが配置される。
すなわち、第１の焦点検出部の両側となる位置に、第２および第３の焦点検出ユニットが配置されるが、第２および第３の焦点検出ユニットが、第１の焦点検出部に対して異なる方向に向いているため、第２および第３の焦点検出ユニットが第１の焦点検出部に干渉することが防止される。
【００１４】
また、メインユニットの第１ないし第３の検出エリアの中心を通り光軸方向に延在する仮想平面の一側に第１の焦点検出部が配置され、メインユニットの仮想平面の他側に第２および第３の焦点検出ユニットが配置される。
そして、メインユニットの中心となる仮想平面の一側に第１の焦点検出部が配置され、仮想平面の他側に第２および第３の焦点検出ユニットが配置されるため、メインユニットに対して、第１の焦点検出部、第２および第３の焦点検出ユニットをバランス良く配置することが可能になり、焦点検出装置がコンパクトなものになる。
【００１５】
請求項２の焦点検出装置では、第１の光路変更手段または第２および第３の光路変更手段により、コンデンサレンズからの光が複数回反射されて第１の焦点検出部または第２および第３の焦点検出ユニットに導かれる。
請求項３の焦点検出装置では、第２および第３の焦点検出ユニットは、メインユニットに接着される直方体状のサイドホルダを有している。
【００１６】
そして、サイドホルダの側面には、直接穴部が形成され、この穴部に位置調整用治具のピン部材を嵌合することにより、メインユニットと第２および第３の焦点検出ユニットとの位置調整が行われる。
請求項４の焦点検出装置では、メインユニットの側面には、第２または第３の焦点検出ユニット側に突出する突出部が形成されている。
【００１７】
そして、第２および第３の焦点検出ユニットのサイドホルダに形成される位置調整用治具のピン部材用の穴部が、突出部と反対側の側面に形成されている。
【００１８】
【発明の実施の形態】
以下、本発明の実施形態を図面を用いて詳細に説明する。
【００１９】
図１および図２は、本発明の焦点検出装置の一実施形態を示すもので、この実施形態では、複数のエリアの焦点検出を行う位相差検出方式の焦点検出装置に本発明が適用される。
図２に示すように、メインユニット１１の一側には、長尺状の視野マスク１３およびコンデンサレンズ１５が配置されている。
【００２０】
コンデンサレンズ１５は、メインユニット１１内に収容され、このコンデンサレンズ１５を覆って視野マスク１３が配置されている。
視野マスク１３には、中央の第１の検出エリアＥ１の両側に第２および第３の検出エリアＥ２，Ｅ３が形成され、第１の検出エリアＥ１には、開口部１３ａが形成されている。
【００２１】
また、第２の検出エリアＥ２には、開口部１３ｂ，１３ｃが形成され、第３の検出エリアＥ３には、開口部１３ｄ，１３ｅが形成されている。
コンデンサレンズ１５には、第１の検出エリアＥ１に対応する位置にレンズ部１５ａが形成されている。
また、第２の検出エリアＥ２に対応する位置に、レンズ部１５ｂが形成され、第３の検出エリアＥ３に対応する位置に、レンズ部１５ｃが形成されている。
【００２２】
そして、図１に示すように、メインユニット１１の第１の検出エリアＥ１に対応する位置には、第１の焦点検出部１７が配置されている。
また、メインユニット１１の第２および第３の検出エリアＥ２，Ｅ３に対応する位置には、第１の焦点検出部１７と異なる方向に向けて第２および第３の焦点検出ユニット１９，２１が配置されている。
【００２３】
この実施形態では、第１の焦点検出部１７は、メインユニット１１から下方に向けて位置され、第２および第３の焦点検出ユニット１９，２１は、メインユニット１１の側方に向けて第１の焦点検出部１７と反対側に向けて位置されている。
図３は、第１の焦点検出部１７の詳細を示しており、メインユニット１１の下側に、第１の焦点検出部１７が配置されている。
【００２４】
この第１の焦点検出部１７は、絞りマスク２２，セパレータレンズ２３およびセンサ２５を備えている。
絞りマスク２２およびセパレータレンズ２３は、メインユニット１１の下側に一体形成される保持部１１ａ内に収容されている。
保持部１１ａの端面には、中間部材２７およびセンサ保持部材２９を介して、ＣＣＤからなるセンサ２５が固定されている。
【００２５】
そして、メインユニット１１のコンデンサレンズ１５と保持部１１ａとの間には、コンデンサレンズ１５からの光を第１の焦点検出部１７に導く第１の光路変更手段が配置されている。
この第１の光路変更手段は、所定間隔を置いて対向配置される第１および第２のセンターミラー３１，３３を有している。
【００２６】
すなわち、コンデンサレンズ１５の第１の検出エリアＥ１のレンズ部１５ａを通過した光は、第１のセンターミラー３１で反射した後、さらに、第２のセンターミラー３３で反射され、センサ２５に導かれる。
図４は、第２の焦点検出ユニット１９の詳細を示しており、メインユニット１１の側方に、第２の焦点検出ユニット１９が配置されている。
【００２７】
この第２の焦点検出ユニット１９は、絞りマスク３５，セパレータレンズ３７およびセンサ３９を備えている。
絞りマスク３５およびセパレータレンズ３７は、メインユニット１１に固定されるサイドホルダ４１内に収容されている。
【００２８】
サイドホルダ４１には、中間部材４３およびセンサ保持部材４５を介して、ＣＣＤからなるセンサ３９が固定されている。
そして、メインユニット１１の第２の焦点検出ユニット１９に対向する位置には、コンデンサレンズ１５からの光を第２の焦点検出ユニット１９に導く第２の光路変更手段であるサイドミラー４７が配置されている。
【００２９】
すなわち、コンデンサレンズ１５の第２の検出エリアＥ２のレンズ部１５ｂを通過した光は、サイドミラー４７で反射した後、センサ３９に導かれる。
なお、この実施形態では、第３の焦点検出ユニット２１も第２の焦点検出ユニット１９と同様に構成されているため、同一部分には同一の符号を付して第３の焦点検出ユニット２１の詳細な説明を省略する。
【００３０】
そして、この実施形態では、図２および図３に示したように、メインユニット１１の第１ないし第３の検出エリアＥ１，Ｅ２，Ｅ３の中心を通りコンデンサレンズ１５の光軸方向に延在する仮想平面Ｈの一側に第１の焦点検出部１７が配置され、メインユニット１１の仮想平面Ｈの他側に第２および第３の焦点検出ユニット１９，２１が配置されている。
【００３１】
なお、仮想平面Ｈは、図３に示した二点鎖線で示す直線Ｔを、紙面に垂直方向に延在した平面である。
図５は、メインユニット１１への第２および第３の焦点検出ユニット１９，２１の取り付け部の詳細を示しており、メインユニット１１の側方に、第２および第３の焦点検出ユニット１９，２１のサイドホルダ面４１ａが当接されるメインユニット面１１ｂが形成されている。
【００３２】
メインユニット面１１ｂは、ハッチングで示され、ハッチングされない部分が、微少深さの凹部１１ｃとされている。
メインユニット面１１ｂの外側には、接着剤注入口１１ｄが形成され、第２および第３の焦点検出ユニット１９，２１のサイドホルダ面４１ａをメインユニット面１１ｂに当接した状態で、接着剤注入口１１ｄから接着剤を供給すると接着剤が凹部１１ｃに供給される。
【００３３】
図６は、メインユニット１１への第２および第３の焦点検出ユニット１９，２１の取り付け方法の詳細を示しており、メインユニット１１への第２および第３の焦点検出ユニット１９，２１の取り付けは、位置調整用治具４９を使用して行われる。
この位置調整用治具４９は、図示しない調整機上に配置されている。
【００３４】
位置調整用治具４９は、第２および第３の焦点検出ユニット１９，２１のサイドホルダ４１を挟持する第１の板部材５１および第２の板部材５３を有している。
第１の板部材５１と第２の板部材５３とは、バネ部材５５により連結されている。
一方、第２および第３の焦点検出ユニット１９，２１のサイドホルダ４１は、略直方体状とされている。
【００３５】
サイドホルダ４１の側面４１ｂの下部には、第１の板部材５１に形成されるピン部材５７が嵌合される穴部４１ｃが形成されている。
また、サイドホルダ４１の上部には、第１の板部材５１に形成されるピン部材５９が嵌合される溝部４１ｄが形成されている。
そして、サイドホルダ４１の側面４１ｂには、基準面４１ｅが３箇所に突出形成されている。
【００３６】
メインユニット１１の第３の焦点検出ユニット２１側の側面には、第３の焦点検出ユニット２１側に突出する取付部である突出部１１ｅが形成されている。
そして、第２および第３の焦点検出ユニット１９，２１のサイドホルダ４１に形成される穴部４１ｃは、突出部１１ｅと反対側の側面４１ｂに形成されている。
【００３７】
メインユニット１１の第３の焦点検出ユニット２１と反対側の側面には、取付部である突出部１１ｆが形成されている。
上述した位相差検出方式の焦点検出装置は、例えば、カメラに配置されて使用される。
そして、被写体からの光が、視野マスク１３の第１の検出エリアＥ１に形成される開口部１３ａ、コンデンサレンズ１５のレンズ部１５ａ、ミラー３１，３３、絞りマスク２２、セパレータレンズ２３を通り、センサ２５の受光面に結像され、周知の位相差検出方式により第１の検出エリアＥ１の焦点検出が行われる。
【００３８】
また、被写体からの光が、視野マスク１３の第２および第３の検出エリアＥ２，Ｅ３に形成される開口部１３ｂ，１３ｃ，１３ｄ，１３ｅ、コンデンサレンズ１５のレンズ部１５ｂ，１５ｃ、ミラー４７、絞りマスク３５、セパレータレンズ３７を通り、センサ３９の受光面に結像され、周知の位相差検出方式により第２および第３の検出エリアＥ２，Ｅ３の焦点検出が行われる。
【００３９】
そして、メインユニット１１への第１の焦点検出部１７、第２および第３の焦点検出ユニット１９，２１の取り付けが以下述べるようにして行われる。
先ず、図３に示したように、絞りマスク２２とセパレータレンズ２３が装着された、メインユニット１１に、所謂やぶにらみ調整を施し、センサ２５が接着固定され、第１の焦点検出部１７が形成される。
【００４０】
なお、この時点で、視野マスク１３，コンデンサレンズ１５，センターミラー３１，３３およびサイドミラー４７は、メインユニット１１内の所定の位置に接着固定されている。
また、メインユニット１１と別体で、絞りマスク３５とセパレータレンズ３７が嵌入されたサイドホルダ４１に、やぶにらみ調整を施してセンサ３９が接着固定され、第２および第３の焦点検出ユニット１９，２１が形成されている。
【００４１】
そして、この第２および第３の焦点検出ユニット１９，２１のサイドホルダ４１が、図５に示したハッチングを施したメインユニット面１１ｂに当接され、メインユニット面１１ｂに接着剤により接着される。
この接着は、図示しない調整機上で行われ、図６に示したように、位置調整用治具４９を使用して行われる。
【００４２】
位置調整用治具４９は、図示しない調整機上に２組配置され、図の左側が第２の焦点検出ユニット１９の位置調整に使用され、右側が第３の焦点検出ユニット２１の位置調整に使用される。
すなわち、位置調整用治具４９の第１の板部材５１の下部に形成されるピン部材５７が、サイドホルダ４１の側面の下部に形成される穴部４１ｃに嵌挿され、また、上部に形成されるピン部材５９が、サイドホルダ４１の上部に形成される溝部４１ｄに嵌合され、第２および第３の焦点検出ユニット１９，２１のサイドホルダ４１が、第１の板部材５１と第２の板部材５３との間に挟持される。
【００４３】
そして、この時に、サイドホルダ面４１ｂに形成される３箇所の基準面４１ｅに第１の板部材５１の基準面５１ａが当接され、サイドホルダ４１が第１の板部材５１に平行に位置される。
これにより、第２および第３の焦点検出ユニット１９，２１の絞りマスク３５の光軸周りの位置が規制される。
【００４４】
次に、第２および第３の焦点検出ユニット１９，２１の所謂瞳出し調整が行われる。
この瞳出し調整は、調整機上で、位置調整用治具４９に保持される第２の焦点検出ユニット１９のサイドホルダ４１のサイドホルダ面４１ａをメインユニット１１のメインユニット面１１ｂに当接させ、図６のｙ方向（左右方向）およびｚ方向（上下方向）に移動させ、センタの光軸が、撮影レンズの射出瞳を見る方向と、第２の焦点検出ユニット１９の射出瞳を見る方向とが合うように調整することにより行われる。
【００４５】
第３の焦点検出ユニット２１の瞳出し調整も同様にして行われる。
そして、瞳出し調整の終了後に、第２および第３の焦点検出ユニット１９，２１のサイドホルダ４１が、メインユニット１１のメインユニット面１１ｂに接着剤により接着される。
この接着は、図５に示したメインユニット１１の接着剤注入口１１ｄから接着剤を注入することにより行われる。
【００４６】
接着剤注入口１１ｄから接着剤を注入すると、接着剤は、三角溝１１ｈを伝って、ハッチングされていない凹部１１ｃに広がり、この凹部１１ｃにおいて、サイドホルダ４１が、メインユニット１１のメインユニット面１１ｂに接着される。
なお、この実施形態では、接着剤注入口１１ｄが、メインユニット１１の開口部１１ｉに略対角に設けられており、これにより、接着面を広くし、より強固な接着が可能になる。
【００４７】
また、位置調整用治具４９を接着硬化後に取り外す必要があるが、位置調整用治具４９に接着剤が付着しない位置に接着剤注入口１１ｄが形成されている。
次に、第１の焦点検出部１７の瞳出し調整が行われる。
この第１の焦点検出部１７の瞳出し調整は、図７に示すように、カメラ内に焦点検出装置を組み込んだ状態で行われる。
【００４８】
図７において、カメラ本体６１の底部には、板部材６３を介して焦点検出装置６５が支持されている。
板部材６３には、第１の筒部材６７および第２の筒部材６９の上端がカシメ固定されている。
第１の筒部材６７は、バネ７１を介して、メインユニット１１の突出部１１ｅに形成される穴部１１ｊに嵌挿され、Ｅリング７３により固定されている。
【００４９】
また、第２の筒部材６９は、バネ７５を介して、メインユニット１１の突出部１１ｅに形成される穴部１１ｋに嵌挿され、ビス７７により固定されている。
さらに、メインユニット１１の反対側の突出部１１ｆには、図示しない第３の筒部材が、バネを介して、メインユニット１１の突出部１１ｆに形成される穴部１１ｍ（図５に示す）に嵌挿され、ビスにより固定されている。
【００５０】
そして、第１の筒部材６７を枢軸として、第２の筒部材６９側のビス７７を回動することにより、図６の矢符Ａ方向（被写体に向かって縦方向）の瞳出し調整が行われる。
また、同様に、第１の筒部材６７を枢軸として、図示しない第３の筒部材側のビスを回動することにより、図６の矢符Ｂ方向（被写体に向かって横方向）の瞳出し調整が行われる。
【００５１】
上述した焦点検出装置では、第２および第３の焦点検出ユニット１９，２１を、第１の焦点検出部１７に対して異なる方向に向けて配置したので、第２および第３の焦点検出ユニット１９，２１が第１の焦点検出部１７に干渉することを確実に防止することができる。
また、メインユニット１１の中心となる仮想平面Ｈの一側に第１の焦点検出部１７を配置し、仮想平面Ｈの他側に第２および第３の焦点検出ユニット１９，２１を配置したので、メインユニット１１に対して、第１の焦点検出部１７、第２および第３の焦点検出ユニット１９，２１をバランス良く配置することが可能になり、焦点検出装置をコンパクトなものにすることができる。
【００５２】
そして、図７に示したように、例えば、第１の焦点検出部１７のセンサ２５をカメラ本体６１の底面側に向けて配置し、第２および第３の焦点検出ユニット１９，２１のセンサ３９をカメラ本体６１の被写体側に向けて配置することにより、カメラ本体６１内に焦点検出装置をコンパクトに収容することができる。
また、上述した焦点検出装置では、第１の光路変更手段である第１のセンターミラー３１および第２のセンターミラー３３により、コンデンサレンズ１５からの光を２回反射して第１の焦点検出部１７に導くようにしたので、光路長が長くなり、より高い精度で、より広い範囲の焦点検出を行うことができる。
【００５３】
さらに、上述した焦点検出装置では、第２および第３の焦点検出ユニット１９，２１のサイドホルダ４１に、位置調整用治具４９のピン部材５７を嵌合する穴部４１ｃを形成するための突出部を形成することなく、サイドホルダ４１の側面４１ｂに直接穴部４１ｃを形成したので、突出部を不要にすることができる。
従って、図７に示したように、第２および第３の焦点検出ユニット１９，２１が、カメラ本体６１の底面に干渉することを有効に防止することができる。
【００５４】
また、上述した焦点検出装置では、第２および第３の焦点検出ユニット１９，２１のサイドホルダ４１に形成される位置調整用治具４９のピン部材５７用の穴部４１ｃおよび溝部４１ｄを、突出部１１ｅと反対側の側面４１ｂに形成したので、位置調整用治具４９が突出部１１ｅに干渉することを有効に防止することができる。
【００５５】
すなわち、第３の焦点検出ユニット２１のサイドホルダ４１に形成される位置調整用治具４９のピン部材５７用の穴部４１ｃおよび溝部４１ｄを、突出部１１ｅ側の側面に形成すると、位置調整用治具４９が突出部１１ｅに干渉することになるが、この干渉を有効に防止することができる。
なお、上述した実施形態では、第１の焦点検出部１７に光を導く第１の光路変更手段を複数回反射するように構成した例について説明したが、本発明はかかる実施形態に限定されるものではなく、例えば、第２および第３の焦点検出ユニット１９，２１に光を導く第２および第３の光路変更手段を複数回反射するように構成しても良い。
【００５６】
また、上述した実施形態では、第１の焦点検出部１７の絞りマスク２２とセパレータレンズ２３をメインユニット１１の保持部１１ａに装着した例について説明したが、本発明はかかる実施形態に限定されるものではなく、例えば、第２および第３の焦点検出ユニット１９，２１と同様にメインユニット１１と別体のホルダ内に収容しても良い。
【００５７】
【発明の効果】
以上述べたように、請求項１の焦点検出装置では、第２および第３の焦点検出ユニットを、第１の焦点検出部に対して異なる方向に向けて配置したので、第２および第３の焦点検出ユニットが第１の焦点検出部に干渉することを確実に防止することができる。
【００５８】
また、メインユニットの中心となる仮想平面の一側に第１の焦点検出部を配置し、仮想平面の他側に第２および第３の焦点検出ユニットを配置したので、メインユニットに対して、第１の焦点検出部、第２および第３の焦点検出ユニットをバランス良く配置することが可能になり、焦点検出装置をコンパクトなものにすることができる。
【００５９】
請求項２の焦点検出装置では、第１の光路変更手段または第２および第３の光路変更手段により、コンデンサレンズからの光を複数回反射して第１の焦点検出部または第２および第３の焦点検出ユニットに導くようにしたので、光路長が長くなり、より高い精度で、より広い範囲の焦点検出を行うことができる。
請求項３の焦点検出装置では、サイドホルダに、位置調整用治具のピン部材を嵌合する穴部を形成するための突出部を形成することなく、サイドホルダの側面に直接穴部を形成したので、突出部を不要にすることができる。
【００６０】
請求項４の焦点検出装置では、第２および第３の焦点検出ユニットのサイドホルダに形成される位置調整用治具のピン部材用の穴部を、突出部と反対側の側面に形成したので、位置調整用治具が突出部に干渉することを防止することができる。
【図面の簡単な説明】
【図１】本発明の焦点検出装置の一実施形態を下方から見て示す斜視図である。
【図２】図１の焦点検出装置を第２および第３の焦点検出ユニット側から見て示す斜視図である。
【図３】図１の焦点検出装置を第１の検出エリアで切断して示す断面図である。
【図４】図１の焦点検出装置を第３の検出エリアで切断して示す断面図である。
【図５】図１のメインユニットへの第２および第３の焦点検出ユニットの取付部の詳細を示す斜視図である。
【図６】図１のメインユニットへの第２および第３の焦点検出ユニットの取付方法を示す斜視図である。
【図７】図１の焦点検出装置をカメラに組み込んだ状態を示す説明図である。
【図８】従来の焦点検出装置を示す説明図である。
【符号の説明】
１１  メインユニット
１１ｅ  突出部
１３  視野マスク
１５  コンデンサレンズ
１７  第１の焦点検出部
１９  第２の焦点検出ユニット
２１  第３の焦点検出ユニット
２２，３５  絞りマスク
２３，３７  セパレータレンズ
２５，３９  センサ
３１  第１のセンターミラー
３３  第２のセンターミラー
４１  サイドホルダ
４１ｃ  穴部
４７  サイドミラー
４９  位置調整用治具
Ｅ１  第１の検出エリア
Ｅ２  第２の検出エリア
Ｅ３  第３の検出エリア
【図１】
2004170456.tif 000003
【図２】
2004170456.tif 000004
【図３】
2004170456.tif 000005
【図４】
2004170456.tif 000006
【図５】
2004170456.tif 000007
【図６】
2004170456.tif 000008
【図７】
2004170456.tif 000009
【図８】
2004170456.tif 000010